(57)【要約】      （修正有）【課題】連続点灯時間を増大させ、更に電池交換を容易にすることができる人形型ライトを提供する。【解決手段】人形型で曲げ伸ばし可能な樹脂製の本体１０と、表面実装型のＬＥＤライト６１，６２と、電池と、スイッチが格納されるライトユニットとを備え、ライトユニットが、人形の目に相当する位置からＬＥＤライト６１，６２の光が放射されるように本体１０の頭部に収納され、人形の口に相当する部分が押下されると、スイッチがＬＥＤライト６１，６２をオン状態又はオフ状態に切り替え、更に、ライトユニットがバヨネット式の蓋を備えており、特別な道具を用いなくても手で開閉することができる人形型ライトである。【選択図】図１
0003204658.tif 000002
【実用新案登録請求の範囲】
【請求項１】
人形型のライトであって、
頭部と、首部と、胴体部と、腕部と、脚部とを有する人形の形に形成され、曲げ伸ばし可能な樹脂製の本体と、
表面実装型のＬＥＤライトと、電池とが格納されるライトユニットとを備え、
前記ライトユニットが、前記本体の頭部に収納されて、人形の目に相当する位置から前記ＬＥＤライトの光が放射されることを特徴とする人形型ライト。
【請求項２】
ＬＥＤライトからの光を拡散させる光拡散レンズを備えることを特徴とする請求項１記載の人形型ライト。
【請求項３】
ライトユニットが、バヨネット式の蓋を備えることを特徴とする請求項１又は２記載の人形型ライト。
【請求項４】
本体の、胴体部と、腕部と、脚部は、横断面の中央部が厚く両端が薄い略楕円形であることを特徴とする請求項１乃至３のいずれか記載の人形型ライト。
【請求項５】
ライトユニットは、ＬＥＤライトの状態を切り替えるスイッチを備え、蓋に前記スイッチを露出させる貫通孔が形成され、
本体は、人形の口に相当する部分の内側に、前記貫通孔を介して前記スイッチに接触する突出部を備え、
前記スイッチが前記突出部によって押下されると、前記切り替えが行われることを特徴とする請求項１乃至４のいずれか記載の人形型ライト。
【請求項６】
スイッチは、ＬＥＤライトの状態を、オン状態又はオフ状態に切り替えるスイッチであることを特徴とする請求項５記載の人形型ライト。
【請求項７】
スイッチは、ＬＥＤライトの状態を、オン状態又はオフ状態又は点滅状態のいずれかに切り替えるスイッチであることを特徴とする請求項５記載の人形型ライト。
【考案の詳細な説明】
【技術分野】
【０００１】
本考案は、人形型の携帯用ライトに係り、特に、連続点灯時間を増大させ、更に電池交換を容易にすることができる人形型ライトに関する。
【背景技術】
【０００２】
［先行技術の説明］
従来、人形型ライトとしては、人形型の本体の頭部にＬＥＤ（Light Emitting Diode）を備え、胴体、腕、脚が曲げ伸ばし可能な構成の人形型ライトがあった（特許文献１）。
特許文献１の人形型ライトは、持ち運びが容易で、本や手帳のページに取り付けて、所望の場所を照らしたり、非使用時には、本に挟んでしおりとして用いることができるものである。
【先行技術文献】
【特許文献】
【０００３】
【特許文献１】登録実用新案第３１８２４７６号公報
【考案の概要】
【考案が解決しようとする課題】
【０００４】
しかしながら、従来の人形型ライトは、連続点灯時間が８時間程度と短く、また、電池交換の際にはドライバーを用いてケースを開けなければならず、作業が煩雑であるという問題点があった。
【０００５】
本考案は上記実情に鑑みて為されたもので、消費電力を低減して連続点灯時間を大幅に増大させ、電池交換の作業を容易にすることができる人形型ライトを提供することを目的とする。
【課題を解決するための手段】
【０００６】
上記従来例の問題点を解決するための本考案は、人形型のライトであって、頭部と、首部と、胴体部と、腕部と、脚部とを有する人形の形に形成され、曲げ伸ばし可能な樹脂製の本体と、表面実装型のＬＥＤライトと、電池とが格納されるライトユニットとを備え、ライトユニットが、本体の頭部に収納されて、人形の目に相当する位置から前記ＬＥＤライトの光が放射されることを特徴としている。
【０００７】
また、本考案は、上記人形型ライトにおいて、ＬＥＤライトからの光を拡散させる光拡散レンズを備えることを特徴としている。
【０００８】
また、本考案は、上記人形型ライトにおいて、ライトユニットが、バヨネット式の蓋を備えることを特徴としている。
【０００９】
また、本考案は、上記人形型ライトにおいて、本体の、胴体部と、腕部と、脚部は、横断面の中央部が厚く両端が薄い略楕円形であることを特徴としている。
【００１０】
また、本考案は、上記人形型ライトにおいて、ライトユニットは、ＬＥＤライトの状態を切り替えるスイッチを備え、蓋にスイッチを露出させる貫通孔が形成され、本体は、人形の口に相当する部分の内側に、貫通孔を介してスイッチに接触する突出部を備え、スイッチが突出部によって押下されると、切り替えが行われることを特徴としている。
【００１１】
また、本考案は、上記人形型ライトにおいて、スイッチは、ＬＥＤライトの状態を、オン状態又はオフ状態に切り替えるスイッチであることを特徴としている。
【００１２】
また、本考案は、上記人形型ライトにおいて、スイッチは、ＬＥＤライトの状態を、オン状態又はオフ状態又は点滅状態のいずれかに切り替えるスイッチであることを特徴としている。
【考案の効果】
【００１３】
本考案によれば、人形型のライトであって、頭部と、首部と、胴体部と、腕部と、脚部とを有する人形の形に形成され、曲げ伸ばし可能な樹脂製の本体と、表面実装型のＬＥＤライトと、電池とが格納されるライトユニットとを備え、ライトユニットが、本体の頭部に収納されて、人形の目に相当する位置から前記ＬＥＤライトの光が放射される人形型ライトとしているので、持ち運び可能で、本や手帳に取り付けて所望の場所を照らすことができ、表面実装型のＬＥＤライトとすることで消費電力を低減し、連続点灯時間を大幅に増大させることができる効果がある。
【００１４】
また、本考案によれば、ＬＥＤライトからの光を拡散させる光拡散レンズを備える上記人形型ライトとしているので、ＬＥＤライトから放射された光を拡散させて、広い範囲を照らすことができ、より明るく感じられ、使い勝手を向上させることができる効果がある。
【００１５】
また、本考案によれば、ライトユニットが、バヨネット式の蓋を備える上記人形型ライトとしているので、特別な道具を用いることなくライトユニットを手で開閉することができ、電池交換の作業を容易にすることができる効果がある。
【００１６】
また、本考案によれば、本体の、胴体部と、腕部と、脚部は、横断面の中央部が厚く両端が薄い略楕円形である上記人形型ライトとしているので、繰り返し曲げ伸ばしを行っても、本体の樹脂表面に凹凸やしわができにくい効果がある。
【００１７】
また、本考案によれば、ライトユニットは、ＬＥＤライトの状態を切り替えるスイッチを備え、蓋にスイッチを露出させる貫通孔が形成され、本体は、人形の口に相当する部分の内側に、貫通孔を介してスイッチに接触する突出部を備え、スイッチが突出部によって押下されると、切り替えが行われる上記人形型ライトとしているので、人形の口部分を押すだけでＬＥＤライトをオン／オフさせることができ、従来の、背面に設けられたスライドスイッチを操作するのに比べて切り替え操作を容易にし、使い勝手を向上させることができる効果がある。
【図面の簡単な説明】
【００１８】
【図１】本考案の実施の形態に係る人形型ライトの概略構成を示す斜視図である。
【図２】本体１０の頭部背面側を示す説明図である。
【図３】ライトユニットの構成を示す分解斜視図である。
【図４】ライトユニットケースの外観図である。
【図５】本ライトの頭部の部分断面説明図である。
【考案を実施するための形態】
【００１９】
本考案の実施の形態について図面を参照しながら説明する。
［実施の形態の概要］
本考案の実施の形態に係る人形型ライトは、人形型で曲げ伸ばし可能な樹脂製の本体と、表面実装型のＬＥＤライトと電池とが格納されるライトユニットとを備え、ライトユニットが、人形の目に相当する位置からＬＥＤライトの光が放射されるように、本体の頭部に収納されており、本や手帳に取り付けて所望の場所を照らすことができ、表面実装型のＬＥＤとすることで、消費電力を低減し、連続点灯時間を大幅に増大させることができるものである。
【００２０】
また、本考案の実施の形態に係る人形型ライトは、ＬＥＤライトの光を拡散させる光拡散レンズを備えており、光源からの光を特定の角度（拡散角）で均一に広げ、広い面積を照らすことができるものである。
【００２１】
また、本考案の実施の形態に係る人形型ライトは、ライトユニットがバヨネット式の蓋を備えており、電池交換の際には、特別な道具を使わなくても、手で蓋を開閉することができ、電池交換の作業を容易にすることができるものである。
【００２２】
［実施の形態に係る人形型ライトの概略構成：図１］
実施の形態に係る人形型ライトの概略構成について図１を用いて説明する。図１は、本考案の実施の形態に係る人形型ライトの概略構成を示す斜視図である。
本考案の実施の形態に係る人形型ライト（本ライト）は、図１に示す本体１０と、図１では示されていないが、本体１０の頭部の背面側に取り付けられたライトユニットとを備えている。
ライトユニットには、ＬＥＤライト、電池、ＩＣチップ、スイッチが設けられている。ライトユニットについては、後で詳述する。
【００２３】
本体１０の構成について説明する。
図１に示すように、本体１０は、シリコーン樹脂等の曲げ伸ばし可能な素材で薄く形成されており、頭部１と、首部２と、胴体部３と、右腕部４１と、左腕部４２と、右脚部５１と、左脚部５２とを備えた人形型である。
頭部１の背面側には、ライトユニットをはめ込んで固定する収納部が設けられている。収納部については後述する。そのため、ライトユニットを含めた本ライトの頭部は他の部分より厚く、厚さ１０mm程度となっている。
【００２４】
また、本体１０の頭部１を除く部分の内部には、曲げ伸ばし可能な金属板が埋め込まれており、本体の強度を高めると共に、本体１０を曲げて変形させた際に、その形状を維持するものである。
また、本体１０の胴体部３、右腕部４１、左腕部４２、右脚部５１、左脚部５２は、樹脂部分が均一な厚みではなく、中央部が厚く周辺部が薄く形成されている。つまり、横断面の形状が、略楕円形となっている。
【００２５】
横断面の形状を楕円形状とすることにより、均一な厚みで横断面形状を長方形とした場合に比べて、滑らかな形状となって手になじみ易く、更に、胴体部３、右腕部４１、左腕部４２、右脚部５１、左脚部５２を繰り返し曲げ伸ばして変形させても、樹脂表面に凹凸やしわができにくくなるものである。
【００２６】
そして、頭部１の一方の面（顔面に相当する面）の、人形の目に相当する位置に２つのＬＥＤライト６１，６２が設けられている。
具体的には、ＬＥＤライト６１,６２は、後述するライトユニットに格納された基板に取り付けられており、頭部１の目の位置に形成された穴から光を放射するものである。
【００２７】
本考案の特徴として、ＬＥＤライト６１，６２として表面実装型のＬＥＤライトを用いている。
従来の人形型ライトでは、電球型のＬＥＤライトを用いていたが、電球型に比べて表面実装型のＬＥＤは消費電力が小さく、連続点灯時間を大幅に長くすることができ、また実装が容易である。
本ライトの連続点灯時間は約７２時間であり、従来の９倍程度となっている。
また、それに伴って、電池の寿命も大幅に長くなり、頻繁に電池交換を行わなくてよいため、利便性を向上させるものである。
【００２８】
［本体１０の頭部背面側：図２］
次に、本体１０の頭部背面側の構成について図２を用いて説明する。図２は、本体１０の頭部背面側を示す説明図である。
図２に示すように、本体１０の頭部１の背面側には、ライトユニットを収納するための収納部１２となる凹部が形成されている。
収納部１２の側面には、後述するライトユニットケースの突起に嵌合する複数の窪み１３が形成されている。
また、図２では示されていないが、本体１０の人形の口に相当する部分の内側（収納部１２側）に、後述するスイッチを押下するための突出部が形成されている。
【００２９】
［ライトユニットの構成：図３］
次に、本ライトに用いられるライトユニットについて図３を用いて説明する。図３は、ライトユニットの構成を示す分解斜視図である。
図３に示すように、本ライトに用いられるライトユニットは、蓋部７１と、底部７２とから成る円筒形のユニット本体（ライトユニットケース）の円筒内部に、部品が搭載された基板７３が設けられている。
ユニット本体の蓋部７１及び底部７２は、ＡＢＳ（Acrylonitrile Butadiene Styrene copolymer）樹脂で形成されている。
また、底部７２には、基板７３の下側にボタン型の電池を格納する空間が設けられている。従来は、２個の電池を用いていたが、本ライトでは、１個だけ使用するようになっている。これにより、ライトユニットの厚みを従来に比べて薄くすることができるものである。
【００３０】
ライトユニットケースは、バヨネットキャップ型の容器である。
具体的には、図３に示すように、蓋部７１と底部７２とが嵌合する部分において、蓋部７１には上面に平行に形成された３個の凸部７６が設けられ、底部７２には、Ｌ字型に形成された３個の凹部７７が設けられている。
そして、蓋部７１と底部７２とを、凸部７６と凹部７７の上端の開口部分とが重なるように重ね合わせ、蓋部７１を時計回りにひねることで、凸部７６と凹部７７の水平部分とが係合して固定されるようになっている。
【００３１】
ライトユニットケースを開ける場合には、蓋部７１を逆向き（反時計回り）にひねって回転させ、凸部７６と凹部７７の開口部分とを合わせて、蓋部７１を取り外す。
ライトユニットケースをバヨネット式とすることで、スクリュー式（ネジ式）に比べて、小さい力で且つ少ない動作で、容易にライトユニットケースを開閉できるものである。
【００３２】
また、蓋部７１には、人形の目に相当する位置に、ＬＥＤライト６１，６２の光を放射するための穴が形成されている。更に、人形の口に相当する位置に、後述するスイッチを押下するための貫通孔が形成されている。
【００３３】
基板７３の構成について説明する。
基板７３は、樹脂製の基板であり、ＬＥＤライト６１，６２と、光拡散レンズ６３，６４と、スイッチ６５と、ＩＣチップ６６と、配線６７が搭載されている。
ＬＥＤライト６１，６２は、表面実装型の高輝度白色ＬＥＤであり、従来の電球型ＬＥＤに比べて消費電力が小さく、安価である。ＬＥＤライト６１，６２は、人形の目に相当する位置に搭載されている。
【００３４】
また、光拡散レンズ６３，６４は、ＰＣ（Polycarbonate）製の透明なレンズであり、それぞれ、ＬＥＤライト６１，６２の上に搭載されて、ＬＥＤライト６１，６２からの光を一定の角度に拡散させて放射する。
ＬＥＤライト６１，６２は小さいため、出力される光に広がりがなく、狭い範囲しか照らせないが、光拡散レンズ６３，６４を通すことにより、消費電力を増大させることなく、より広い範囲を照らすことができ、明るく見えるようにしている。
【００３５】
スイッチ６５は、ＬＥＤライト６１，６２の状態をオン又はオフに切り替えるスイッチであり、本ライトでは、人形の口に相当する位置に、押下されるボタン部分が正面側を向くように搭載されている。つまり、ユーザは、本ライトの口の部分を押下することで、ＬＥＤライト６１，６２の点灯／消灯の操作を行うようになっている。
従来は、ライトユニットの背面部分に設けられたスライドスイッチを操作するようにしていたが、それに比べて本ライトではＬＥＤライト６１，６２のオン／オフの操作を容易にしているものである。
【００３６】
スイッチ６５は、ボタン部分が押下されると、通電して電気信号（スイッチ信号）を出力する。スイッチ信号は、ＩＣチップ６６に入力される。
配線６７は、電池とスイッチ６５、ＩＣチップ６６、ＬＥＤライト６１，６２を接続する。
【００３７】
ＩＣチップ６６は、ＬＥＤライト６１，６２への電圧供給を制御して、オン／オフの状態を切り替えると共に、安定した発光動作を持続させるＬＥＤドライバである。
ＩＣチップ６６は、記憶部と制御部とを有するマイコンを備え、制御部が記憶部に記憶されたプログラムを起動してＬＥＤライト６１，６２の状態を制御する。
【００３８】
具体的には、ＩＣチップ６６の制御部は、ＬＥＤライト６１，６２の現在の動作状態（オン状態又はオフ状態のいずれか一方）を記憶しておき、スイッチ６５からのスイッチ信号が入力されると、ＬＥＤライト６１，６２の状態を他方の状態に切り替える。
たとえば、ＬＥＤライト６１，６２に供給する電圧をハイレベル又はローレベルに切り替えて、ハイレベルの場合にはＬＥＤライト６１，６２をオン（点灯）状態、ローレベルの場合にはオフ（消灯）状態とする。
【００３９】
尚、本実施の形態ではＬＥＤライト６１，６２の状態として、点灯と消灯の２つの状態を切り替えるようにしているが、ＩＣチップ６６のプログラムを、点灯／点滅／消灯の３つの状態を切り替えるプログラムとしておき、スイッチ６５が押下される毎に、ＬＥＤライト６１，６２の状態を、例えば、点灯→点滅→消灯というように順次切り替えるように構成してもよい。
ＬＥＤライト６１，６２を点滅させる場合、ＩＣチップ６６は、ＬＥＤライト６１，６２に対して、ハイレベルとローレベルを周期的に切り替えた電圧を供給する。
【００４０】
［ライトユニットケース：図４］
次に、ライトユニットケースについて図４を用いて説明する。図４は、ライトユニットケースの外観図であり、（ａ）は正面側、（ｂ）は背面側の外観を示している。
図４（ａ）（ｂ）に示すように、本ライトのライトユニットケースは、蓋部７１と底部７２とから成り、蓋部７１が正面側、底部７２が背面側となるよう本体１０の収納部１２に収納されるものである。
【００４１】
そして、図４（ａ）に示すように、蓋部７１には、人形の目に相当する部分にＬＥＤライト６１，６２の光を通す２つの穴が形成され、口に相当する部分に貫通孔７５が形成されている。
貫通孔７５は、ライトユニットケースに収納された基板７３上に搭載されたスイッチ６５のボタン部分を露出させると共に、ライトユニットケースが本体１０の収納部１２に収納された場合に、頭部１の内側に形成された突出部をスイッチ６５に接触させるものである。突出部については後述する。
【００４２】
貫通孔７５は、上部（ケースの外側）の口径が大きく、下部（ケースの内側）の口径が小さく、側面がなだらかなテーパー状に形成され、すり鉢型の形状となっている。
このような形状とすることにより、本体１０の押下時に、貫通孔７５の外側の縁に当たる頭部１の樹脂部分に強い力が集中するのを防ぎ、シリコーン樹脂の劣化を防ぐことができるものである。
【００４３】
また、図４（ａ）に示すように、蓋部７１の側面の外側には、外周に沿って複数の突起部７４が形成されている。突起部７４は、開閉時に指を掛かりやすくするものである。
そして、図４（ｂ）に示すように、ライトユニットケースを開閉する際には、蓋部７１と底部７２とを持ってひねることにより、バヨネット式キャップの凸部７６と凹部７７の開口部の位置を合わせ、簡単に開け閉め可能となっている。図４（ｂ）では、開ける際の動作を示している。
これにより、電池交換の際に、ドライバー等の特別な道具を用いなくても、容易に基板７３を取り出して電池を交換することができ、従来に比べて利便性を向上させることができるものである。
尚、電池交換の際には、本体１０の収納部１２からライトユニットを取り出して、ライトユニットケースを開け、基板７３を取り外して電池を交換する。
【００４４】
［突出部によるスイッチの押下：図５］
次に、スイッチ６５の押下について図５を用いて説明する。図５は、本ライトの頭部の部分断面説明図である。
図５では、本ライトの頭部を、蓋部７１の貫通孔７５を通る面で切断した様子を示している。尚、説明を簡単にするために、スイッチ６５より下にある基板７３、配線６７、底部７２は省略している。
【００４５】
図５に示すように、本ライトの頭部では、ライトユニットケースの内部（蓋部７１の下）にスイッチ６５が設けられ、蓋部７１の上にシリコーン樹脂の本体１０が設けられている。
そして、蓋部７１に形成された貫通孔７５内において、スイッチ６５のボタン部分が上向き（正面側）に突出し、本体１０に形成された突出部１１が下向き（背面側）に突出している。
【００４６】
図５に示すように、押下する力が働いていない状態では、スイッチ６５と突出部１１とは軽く接触した状態となっている。
ＬＥＤライト６１，６２が消灯している状態で、人形の口に相当する部分が本体１０の外側（図では上方向）から内側に向かって押下されると、突出部１１によってスイッチ６５のボタン部分が下に押し込まれて通電し、スイッチ信号がＩＣチップ６６に出力され、ＩＣチップ６６がＬＥＤライト６１，６２を点灯させる。スイッチ６５のボタン部分は、指を離すと元の位置に戻るが、オンの状態は保持される。
次に押下されると、スイッチ６５が通電して、再びスイッチ信号が出力され、ＩＣチップ６６がＬＥＤライト６１，６２を消灯させる。
【００４７】
また、押下する力が働いている状態では、表面の本体１０は貫通孔７５のテーパー状の側面（斜面）に沿って変形してなだらかに窪むため、特定の箇所に大きな負荷が集中せず、樹脂が劣化しにくいものである。
【００４８】
［実施の形態の効果］
本考案の実施の形態に係る人形型ライトによれば、人形型で曲げ伸ばし可能な樹脂製の本体１０と、表面実装型のＬＥＤライト６１，６２と電池とが格納されるライトユニットとを備え、ライトユニットが、人形の目に相当する位置からＬＥＤライト６１，６２の光が放射されるように本体１０の頭部に収納されているので、持ち運びが容易で、本や手帳に取り付けて所望の場所を照らしたり、本のしおりとして用いることができ、表面実装型のＬＥＤとすることで、消費電力を低減し、連続点灯時間を大幅に増大させることができる効果がある。
【００４９】
また、本ライトによれば、ＬＥＤライト６１，６２の光を拡散する光拡散レンズ６３，６４を備えているので、ＬＥＤライト６１，６２からの光を拡散して広い範囲を照らすことができ、使い勝手を向上させることができる効果がある。
【００５０】
また、本ライトによれば、ライトユニットケースをバヨネットキャップ式の構成としているので、ライトユニットケースを手で開け閉めすることができ、電池交換の際に特別な道具を必要とせず、作業を容易にすることができる効果がある。
【００５１】
また、本ライトによれば、消費電力を低減したことにより、従来２個使用していた電池を１つとしているので、電池を収納するライトユニットを薄くでき、本ライトの頭部全体の厚みを薄く形成して、使い勝手を向上させることができる効果がある。
【００５２】
また、本ライトによれば、スイッチ６５がライトユニット内で正面側に向けて搭載され、ライトユニットケースの蓋部７１にスイッチ６５を露出させる貫通孔７５が形成され、人形の口の部分に相当する位置において、本体１０の内側に突出部１１が形成され、本体１０の口の部分が外から押下されると、貫通孔７５を介して突出部１１がスイッチ６５を押下するようにしているので、ＬＥＤライト６１，６２のオン／オフの操作を容易にすることができる効果がある。
【００５３】
更に、本ライトによれば、貫通孔７５の側面をテーパー状に形成しているので、本体１０のＬＥＤのオン／オフ操作に伴って押下される部分にかかる力を分散させて、樹脂の劣化を防ぐことができる効果がある。
【産業上の利用可能性】
【００５４】
本考案は、消費電力を低減して連続点灯時間を大幅に増大させ、電池交換の作業を容易にすることができる人形型ライトに適している。
適している。
【符号の説明】
【００５５】
１...頭部、  ２...首部、  ３...胴体部、  １０...本体、  １１...突出部、  １２...収納部、  １３...窪み、  ５...収納部、  １６...接着剤、  ４１...右腕部、  ４２...左腕部、  ５１...右脚部、  ５２...左脚部、  ６１,６２...ＬＥＤ、  ６３，６４...光拡散レンズ、  ６５...スイッチ、  ６６...ＩＣチップ、  ６７...配線、  ７１...蓋部、  ７２...底部、  ７３...基板、  ７４...突起部、  ７５...貫通孔、  ７６...凸部、  ７７...凹部
【図５】
0003204658.tif 000003
【図１】
0003204658.tif 000004
【図２】
0003204658.tif 000005
【図３】
0003204658.tif 000006
【図４】
0003204658.tif 000007